(57)【特許請求の範囲】
【請求項１】
第１方向に長手を有すると共に前記第１方向と直交する第２方向に延びる島状部と、前記第１方向および前記第２方向の両方と直交する第３方向において前記島状部との間に凹部を有するように設けられたレセプタクル側長壁部を有するレセプタクル側ハウジングと、
接点部を有し、前記接点部が前記凹部内に露出するように前記レセプタクル側ハウジングに保持されたレセプタクル側信号コンタクトと、
前記レセプタクル側信号コンタクトと前記第１方向に並ぶように前記レセプタクル側ハウジングに保持されたレセプタクル側電源コンタクトと、
を有するレセプタクルコネクタと、
前記凹部に挿入される凸部を有するプラグ側ハウジングと、前記凸部外に露出するように前記プラグ側ハウジングに保持されたプラグ側信号コンタクトと、前記凸部外に露出するように前記プラグ側ハウジングに保持され前記レセプタクル側電源コンタクトと接触するプラグ側電源コンタクトと、
を有するプラグコネクタと、
を有し、
前記プラグ側電源コンタクトは前記第１方向および前記第２方向に平行な板状の第１平面部と、前記第１平面部の一部と前記プラグ側ハウジングの構成部材を介して対向する板状の第２平面部と、
前記第３方向および前記第１方向に平行に設けられ、前記第１平面部および前記第２平面部を接続する電源コンタクト側接続部と、
を有し、
前記第１平面部、または前記第２平面部の少なくとも一方は、互いに平行に対向する面と互いに平行に対向する面以外の面の間に段差部を有し、かつ互いに平行に対向する面を有する部分の前記第３方向の厚さが、互いに平行に対向する面以外の面を有する部分よりも薄い薄肉部を有する、
基板対基板コネクタ。
【請求項２】
前記プラグ側信号コンタクトは、前記第１方向および前記第２方向に平行な板状の第３平面部と、前記第３平面部の一部と前記プラグ側ハウジングの構成部材を介して対向する板状の第４平面部と、
前記第３方向および前記第１方向に平行に設けられ、前記第３平面部および前記第４平面部を接続する信号コンタクト側接続部と、を有し、
前記第３平面部と前記第４平面部の前記第３の方向の内側の間隔が、前記第１平面部および前記第２平面部の前記第３の方向の間隔のうち、前記薄肉部と、前記薄肉部と対向する前記第１平面部または前記第２平面部の内側の間隔と等しい、請求項１に記載の基板対基板コネクタ。
【請求項３】
前記プラグ側電源コンタクトは前記第１の方向における前記プラグ側信号コンタクトよりも前記プラグ側ハウジングの端部側に設けられ、
前記レセプタクル側電源コンタクトは前記第１の方向における前記レセプタクル側信号コンタクトよりも前記レセプタクル側ハウジングの端部側に設けられる、請求項１または２に記載の基板対基板コネクタ。
【請求項４】
前記プラグ側ハウジングは、前記第１方向における前記プラグ側電源コンタクトよりも端部側にプラグ側補強部を有し、
前記レセプタクル側ハウジングは、前記第１方向における前記レセプタクル側電源コンタクトよりも端部側にレセプタクル側補強部を有する、請求項１〜３のいずれか一項に記載の基板対基板コネクタ。
【請求項５】
前記プラグ側補強部と前記レセプタクル側補強部は、前記プラグコネクタと前記レセプタクルコネクタが嵌合した状態で互いに接しており、電源の導通に用いられる、請求項４に記載の基板対基板コネクタ。
【請求項６】
前記プラグ側補強部は前記第１方向において前記プラグ側ハウジングの両端に設けられ、
前記レセプタクル側補強部は前記第１方向において前記レセプタクル側ハウジングの両端に設けられる、請求項４または５に記載の基板対基板コネクタ。
【請求項７】
前記プラグ側電源コンタクトは、前記プラグ側ハウジングの４か所に均等に設けられ、
前記レセプタクル側電源コンタクトは、前記レセプタクル側ハウジングの４か所に均等に設けられる、請求項１〜６のいずれか一項に記載の基板対基板コネクタ。
【請求項８】
前記プラグ側電源コンタクトは前記プラグ側信号コンタクトよりも前記第１方向における幅が広く、
前記レセプタクル側電源コンタクトは、前記レセプタクル側信号コンタクトよりも前記第１方向における幅が広い、請求項１〜７のいずれか一項に記載の基板対基板コネクタ。
【請求項９】
第１方向に長手を有すると共に前記第１方向と直交する第２方向に延びるプラグ側嵌合部を有するプラグ側ハウジングと、前記プラグ側嵌合部外に露出するように前記プラグ側ハウジングに保持されたプラグ側信号コンタクトと、前記プラグ側嵌合部外に露出するように前記プラグ側ハウジングに保持されたプラグ側電源コンタクトと、
を有し、
前記プラグ側電源コンタクトは前記第１方向および前記第２方向に平行な板状の第１平面部と、前記第１平面部の一部と前記プラグ側ハウジングの構成部材を介して対向する板状の第２平面部と、
前記第１方向および前記第２方向に直交する方向である第３方向、および前記第１方向に平行に設けられ、前記第１平面部および前記第２平面部を接続する電源コンタクト側接続部と、
を有し、
前記第１平面部、または前記第２平面部の少なくとも一方は、互いに平行に対向する面と互いに平行に対向する面以外の面の間に段差部を有し、かつ互いに平行に対向する面を有する部分の前記第３方向の厚さが、互いに平行に対向する面以外の面を有する部分よりも薄い薄肉部を有するコネクタ。
【請求項１０】
前記プラグ側信号コンタクトは、前記第１方向および前記第２方向に平行な板状の第３平面部と、前記第３平面部の一部と前記プラグ側ハウジングの構成部材を介して対向する板状の第４平面部と、
前記第３方向および前記第１方向に平行に設けられ、前記第３平面部および前記第４平面部を接続する信号コンタクト側接続部と、を有し、
前記第３平面部と前記第４平面部の前記第３の方向の内側の間隔が、前記第１平面部および前記第２平面部の前記第３の方向の間隔のうち、前記薄肉部と、前記薄肉部と対向する前記第１平面部または前記第２平面部の間隔と等しい、請求項９に記載のコネクタ。
【請求項１１】
前記プラグ側電源コンタクトは前記第１の方向における前記プラグ側信号コンタクトよりも前記プラグ側ハウジングの端部側に設けられる、
請求項９または１０に記載のコネクタ。
【請求項１２】
前記プラグ側ハウジングは、前記第１方向における前記プラグ側電源コンタクトよりも端部側にプラグ側補強部を有する、請求項９〜１１のいずれか一項に記載のコネクタ。
【請求項１３】
前記プラグ側補強部は電源の導通に用いられる、請求項１２に記載のコネクタ。
【請求項１４】
前記プラグ側補強部は前記第１方向において前記プラグ側ハウジングの両端に設けられる、請求項１２または１３に記載のコネクタ。
【請求項１５】
前記プラグ側電源コンタクトは、前記プラグ側ハウジングの４か所に均等に設けられる、請求項９〜１４のいずれか一項に記載のコネクタ。
【請求項１６】
前記プラグ側電源コンタクトは前記プラグ側信号コンタクトよりも前記第１方向における幅が広い、請求項９〜１５のいずれか一項に記載のコネクタ。
【発明の詳細な説明】
【技術分野】
【０００１】
本発明は基板対基板コネクタおよびコネクタに関する。
【背景技術】
【０００２】
従来、基板の面同士を接続するコネクタとして、基板対基板コネクタが用いられてきた。
【０００３】
基板対基板コネクタは、プラグコネクタと、レセプタクルコネクタとが１つの組になっており、レセプタクルコネクタにプラグコネクタが挿入され、互いのコンタクト（導電端子）が接触することにより、電気的に接続される（特許文献１）。
【０００４】
この点について、図２７および図２８を参照して説明する。
【０００５】
図２７に示すように特許文献１のレセプタクルコネクタ２０１は絶縁性のハウジング２１０と、ハウジング２１０内に配列された導電端子２３０と、ハウジング２１０の両端近傍に配置された半田ペグ２５０を有している。
【０００６】
また、図２８に示すように、特許文献１のプラグコネクタ３００は、ハウジング３１０と、ハウジング３１０内に２列に配列された導電端子３３０を有する。
【先行技術文献】
【特許文献】
【０００７】
【特許文献１】特開２０１４−１７０７２６号公報
【発明の概要】
【発明が解決しようとする課題】
【０００８】
ここで、コンタクトのうち、信号電流を流すコンタクト（信号コンタクト）は信号を伝達できる程度の小さな電流を流せればよいこと、および小型化の要求が近年強くなっていることから、信号コンタクトの幅は狭くなる傾向にある。
【０００９】
一方でコネクタを介して電源電流の伝達も求められる場合は、信号用コンタクトは幅が狭すぎて電源用のコンタクトとして用いることができない。
【００１０】
そこで、信号用コンタクトを電源用コンタクトとして使用するため、コンタクトの厚さを厚くして電流容量を大きくすることが従来行われてきた。
【００１１】
しかしながら、コンタクトの厚さを厚くすると、コネクタを作製する際にハウジングの形成に用いるインサート成形において、樹脂流動性が悪くなり、その作製が困難となる問題があった。
【００１２】
即ち、電流容量を大きくするには、コンタクトを厚くすれば良いが、コンタクトを厚くするとハウジングの成形性が悪くなるというトレードオフの関係があった。
【００１３】
本発明は上記問題に鑑みてなされたものであり、その課題は、電流容量の確保と成形性の確保を両立できる基板対基板コネクタを提供することにある。
【課題を解決するための手段】
【００１４】
上記課題を解決するため、本発明の１つの態様によれば、第１方向に長手を有すると共に前記第１方向と直交する第２方向に延びる島状部と、前記第１方向および前記第２方向の両方と直交する第３方向において前記島状部との間に凹部を有するように設けられたレセプタクル側長壁部を有するレセプタクル側ハウジングと、接点部を有し、前記接点部が前記凹部内に露出するように前記レセプタクル側ハウジングに保持されたレセプタクル側信号コンタクトと、前記レセプタクル側信号コンタクトと前記第１方向に並ぶように前記レセプタクル側ハウジングに保持されたレセプタクル側電源コンタクトと、を有するレセプタクルコネクタと、前記凹部に挿入される凸部を有するプラグ側ハウジングと、前記凸部外に露出するように前記プラグ側ハウジングに保持されたプラグ側信号コンタクトと、前記凸部外に露出するように前記プラグ側ハウジングに保持され前記レセプタクル側電源コンタクトと接触するプラグ側電源コンタクトと、を有するプラグコネクタと、を有し、前記プラグ側電源コンタクトは前記第１方向および前記第２方向に平行な板状の第１平面部と、前記第１平面部の一部と前記プラグ側ハウジングの構成部材を介して対向する板状の第２平面部と、前記第３方向および前記第１方向に平行に設けられ、前記第１平面部および前記第２平面部を接続する電源コンタクト側接続部と、を有し、前記第１平面部、または前記第２平面部の少なくとも一方は、互いに平行に対向する面と互いに平行に対向する面以外の面の間に段差部を有し、かつ互いに平行に対向する面を有する部分の前記第３方向の厚さが、互いに平行に対向する面以外の面を有する部分よりも薄い薄肉部を有する、基板対基板コネクタが得られる。
【００１５】
前記プラグ側信号コンタクトは、前記第１方向および前記第２方向に平行な板状の第３平面部と、前記第３平面部の一部と前記プラグ側ハウジングの構成部材を介して対向する板状の第４平面部と、前記第３方向および前記第１方向に平行に設けられ、前記第３平面部および前記第４平面部を接続する信号コンタクト側接続部と、を有してもよく、前記第３平面部と前記第４平面部の前記第３の方向の内側の間隔が、前記第１平面部および前記第２平面部の前記第３の方向の間隔のうち、前記薄肉部と、前記薄肉部と対向する前記第１平面部または前記第２平面部の内側の間隔と等しくてもよい。
【００１６】
前記プラグ側電源コンタクトは前記第１の方向における前記プラグ側信号コンタクトよりも前記プラグ側ハウジングの端部側に設けられてもよく、前記レセプタクル側電源コンタクトは前記第１の方向における前記レセプタクル側信号コンタクトよりも前記レセプタクル側ハウジングの端部側に設けられてよい。
【００１７】
前記プラグ側ハウジングは、前記第１方向における前記プラグ側電源コンタクトよりも端部側にプラグ側補強部を有してもよく、前記レセプタクル側ハウジングは、前記第１方向における前記レセプタクル側電源コンタクトよりも端部側にレセプタクル側補強部を有してもよい。この場合、前記プラグ側補強部と前記レセプタクル側補強部は、前記プラグコネクタと前記レセプタクルコネクタが嵌合した状態で互いに接しており、電源の導通に用いられてもよい。
【００１８】
前記プラグ側補強部は前記第１方向において前記プラグ側ハウジングの両端に設けられてもよく、前記レセプタクル側補強部は前記第１方向において前記レセプタクル側ハウジングの両端に設けられてもよい。
【００１９】
前記プラグ側電源コンタクトは、前記プラグ側ハウジングの４か所に均等に設けられてもよく、前記レセプタクル側電源コンタクトは、前記レセプタクル側ハウジングの４か所に均等に設けられてもよい。
【００２０】
前記プラグ側電源コンタクトは前記プラグ側信号コンタクトよりも前記第１方向における幅が広くてもよく、前記レセプタクル側電源コンタクトは、前記レセプタクル側信号コンタクトよりも前記第１方向における幅が広くてもよい。
【００２１】
また、本発明の他の態様によれば、第１方向に長手を有すると共に前記第１方向と直交する第２方向に延びるプラグ側嵌合部を有するプラグ側ハウジングと、前記プラグ側嵌合部外に露出するように前記プラグ側ハウジングに保持されたプラグ側信号コンタクトと、前記プラグ側嵌合部外に露出するように前記プラグ側ハウジングに保持されたプラグ側電源コンタクトと、を有し、前記プラグ側電源コンタクトは前記第１方向および前記第２方向に平行な板状の第１平面部と、前記第１平面部の一部と前記プラグ側ハウジングの構成部材を介して対向する板状の第２平面部と、前記第１方向および前記第２方向に直交する方向である第３方向、および前記第１方向に平行に設けられ、前記第１平面部、または前記第２平面部の少なくとも一方は、互いに平行に対向する面と互いに平行に対向する面以外の面の間に段差部を有し、かつ互いに平行に対向する面を有する部分の前記第３方向の厚さが、互いに平行に対向する面以外の面を有する部分よりも薄い薄肉部を有するコネクタが得られる。
【００２２】
前記プラグ側信号コンタクトは、前記第１方向および前記第２方向に平行な板状の第３平面部と、前記第３平面部の一部と前記プラグ側ハウジングの構成部材を介して対向する板状の第４平面部と、前記第３方向におよび前記第１方向に平行に設けられ、前記第３平面部および前記第４平面部を接続する信号コンタクト側接続部と、を有してもよく、前記第３平面部と前記第４平面部の前記第３の方向の内側の間隔が、前記第１平面部および前記第２平面部の前記第３の方向の間隔のうち、前記薄肉部と、前記薄肉部と対向する前記第１平面部または前記第２平面部の間隔と等しくてもよい。
【００２３】
前記プラグ側電源コンタクトは前記第１の方向における前記プラグ側信号コンタクトよりも前記プラグ側ハウジングの端部側に設けられてもよい。
【００２４】
前記プラグ側ハウジングは、前記第１方向における前記プラグ側電源コンタクトよりも端部側にプラグ側補強部を有してもよい。この場合、前記プラグ側補強部は電源の導通に用いられてもよい。この場合、前記プラグ側補強部は前記第１方向において前記プラグ側ハウジングの両端に設けられてもよい。
【００２５】
前記プラグ側電源コンタクトは、前記プラグ側ハウジングの４か所に均等に設けられてもよい。
【００２６】
前記プラグ側電源コンタクトは前記プラグ側信号コンタクトよりも前記第１方向における幅が広くてもよい。
【発明の効果】
【００２７】
本発明によれば、電流容量の確保と成形性の確保を両立できる基板対基板コネクタを提供することができる。
【図面の簡単な説明】
【００２８】
【図１】基板対基板コネクタ１００を示す斜視図である。
【図２】図１の側面図である。
【図３】図２のＡ−Ａ断面図である。
【図４】レセプタクルコネクタ１０１を示す斜視図である。
【図５】レセプタクルコネクタ１０１を示す平面図である。
【図６】プラグコネクタ１０３を示す斜視図である。
【図７】図６とは別の方向から見たプラグコネクタ１０３を示す斜視図である。
【図８】プラグコネクタ１０３を示す側面図である。
【図９】プラグコネクタ１０３を示す底面図である。
【図１０】図８のＢ−Ｂ断面図である。
【図１１】図８のＣ−Ｃ断面図である。
【図１２】図８のＤ−Ｄ断面図である。
【図１３】レセプタクル側補強部１０Ａを示す斜視図である。
【図１４】レセプタクル側補強部１０Ａを示す平面図である。
【図１５】レセプタクル側補強部１０Ａを示す正面図である。
【図１６】図１３とは別の方向から見たレセプタクル側補強部１０Ａを示す斜視図である。
【図１７】プラグ側電源コンタクト５Ａを示す斜視図である。
【図１８】プラグ側電源コンタクト５Ａを示す平面図である。
【図１９】プラグ側電源コンタクト５Ａを示す側面図である。
【図２０】プラグ側信号コンタクト７Ａを示す斜視図である。
【図２１】プラグ側信号コンタクト７Ａを示す平面図である。
【図２２】プラグ側信号コンタクト７Ａを示す側面図である。
【図２３】プラグ側補強部１４１Ａを示す斜視図である。
【図２４】図２３とは別の方向から見たプラグ側補強部１４１Ａを示す斜視図である。
【図２５】プラグ側補強部１４１Ａを示す側面図である。
【図２６】プラグコネクタ１０３とレセプタクルコネクタ１０１を組み合わせる際の手順を説明するための斜視図である。
【図２７】従来のレセプタクルコネクタ２０１を示す斜視図である。
【図２８】従来のプラグコネクタ３００を示す斜視図である。
【発明を実施するための形態】
【００２９】
以下、図面を参照して本発明に好適な実施形態について詳細に説明する。
【００３０】
なお、以下の説明では図１に示すように、部材の向きを、直交座標系を用いて表すものとし、第１方向１、第１方向１に直交する第２方向２、第１方向１および第２方向２に直交する第３方向３を直交座標系における３つの方向として定義する。
【００３１】
また、第１方向１、第２方向２、第３方向３において、図１の矢印が示す向きを「正の向き」とし、矢印が示す向きと逆向きを「負の向き」とする。
【００３２】
まず、図１〜図９を参照して、本実施形態に係る基板対基板コネクタ１００および基板対基板コネクタ１００を構成する各コネクタの概略について説明する。
【００３３】
ここでは基板対基板コネクタ１００として、レセプタクルコネクタ１０１とプラグコネクタ１０３との組み合わせが例示されている。
【００３４】
図１〜図３に示すように、基板対基板コネクタ１００は、レセプタクルコネクタ１０１と、レセプタクルコネクタ１０１と接続されるプラグコネクタ１０３を有している。
【００３５】
図４および図５に示すように、レセプタクルコネクタ１０１は、平面形状が長方形の厚板状のレセプタクル側ハウジング９と、レセプタクル側ハウジング９の長手方向（第１方向１に平行な方向）に所定のピッチで設けられたコンタクトであるレセプタクル側信号コンタクト１１Ａ、１１Ｂと、レセプタクル側ハウジング９の長手方向の、レセプタクル側信号コンタクト１１Ａ、１１Ｂよりも端部側に設けられ、嵌合の際にプラグ側電源コンタクト５Ａ、５Ｂ、５Ｃ、５Ｄ（図６参照）と接触し合う４つのレセプタクル側電源コンタクト１２Ａ、１２Ｂ、１２Ｃ、１２Ｄと、レセプタクル側ハウジング９の長手方向のレセプタクル側電源コンタクト１２Ａ、１２Ｂ、１２Ｃ、１２Ｄよりも端部側（ここではレセプタクル側ハウジング９の両端）に設けられたレセプタクル側補強部１０Ａ、１０Ｂを有している。
【００３６】
図６〜図９に示すように、プラグコネクタ１０３は平面形状が長方形のハウジングであるプラグ側ハウジング５と、プラグ側ハウジング５の長手方向に所定のピッチで設けられたコンタクトであるプラグ側信号コンタクト７Ａ、７Ｂと、プラグ側信号コンタクト７Ａ、７Ｂよりもプラグ側ハウジング５の長手方向の端部側で、かつプラグ側ハウジング５の角部の４隅に近い４箇所に均等に設けられたプラグ側電源コンタクト５Ａ、５Ｂ、５Ｃ、５Ｄと、プラグ側ハウジング５の長手方向のプラグ側電源コンタクト５Ａ、５Ｂ、５Ｃ、５Ｄよりも端部側（ここではプラグ側ハウジング５の両端）に設けられたプラグ側補強部１４１Ａ、１４１Ｂを有している。
【００３７】
次に、レセプタクルコネクタ１０１を構成する各部材の構造について、図３〜図５および図１３〜図１６を参照して、より詳細に説明する。
【００３８】
図４および図５に示すように、レセプタクル側ハウジング９は第１方向１に長手を有すると共に前記第１方向と直交する第２方向２（の正の向き）に延びる島状部３７と、第１方向１および第２方向２の両方と直交する第３方向３において島状部３７との間に凹部３３Ａ、３３Ｂを有するように設けられたレセプタクル側長壁部３１Ａ、３１Ｂを有する。
【００３９】
より詳細には、図４および図５に示すように、レセプタクルコネクタ１０１のレセプタクル側ハウジング９は、レセプタクル側信号コンタクト１１Ａ、１１Ｂのピッチ方向に長手方向を有し、対向する一対のレセプタクル側長壁部３１Ａ、３１Ｂと、一対のレセプタクル側長壁部３１Ａ、３１Ｂのそれぞれの端部間を連結し、対向する一対のレセプタクル側短壁部３１Ｃ、３１Ｄを有している。なお、ここでは、レセプタクル側長壁部３１Ａ、３１Ｂは長方形の長辺に相当する部分であり、レセプタクル側短壁部３１Ｃ、３１Ｄは長方形の短辺に相当する部分である。
【００４０】
図４および図５に示すように、レセプタクル側ハウジング９の上面には、プラグコネクタ１０３が挿入される凹部３３Ａ、３３Ｂが、長方形の長辺に沿って設けられており、凹部３３Ａ、３３Ｂを跨ぐようにして、レセプタクル側信号コンタクト１１Ａ、１１Ｂが長手方向に所定のピッチで設けられている。レセプタクル側ハウジング９の第１方向１における端部には、レセプタクル側電源コンタクト１２Ａ、１２Ｂ、１２Ｃ、１２Ｄが設けられている。
【００４１】
なお、凹部３３Ａ、３３Ｂの端部は長方形の短辺に沿って設けられた連結凹部３５Ａ、３５Ｂによって連結され、全体として平面形状がプラグコネクタ１０３のプラグ側ハウジング５に対応する枠形となっており、レセプタクル側ハウジング９の中央部分は島状部３７を形成している。
【００４２】
さらに、レセプタクル側短壁部３１Ｃ、３１Ｄには金属等の導電性材料による板状のレセプタクル側補強部１０Ａ、１０Ｂが設けられている。
【００４３】
図３に示すように、レセプタクル側電源コンタクト１２Ａ、１２Ｂは断面形状がＣの字状の部分を持つ板状部材であり、Ｃの字の両端は凹部３３Ａ、３３Ｂに露出するようにレセプタクル側長壁部３１Ａ、３１Ｂおよび島状部３７に設けられている。
【００４４】
また、レセプタクル側電源コンタクト１２Ａ、１２ＢのＣの字の両端は後述するプラグ側電源コンタクト５Ａ、５Ｂと接触する接点部４３Ａ、４３Ｂおよび接点部４３Ｃ、４３Ｄを有している。
【００４５】
また、レセプタクル側電源コンタクト１２Ａ、１２ＢのＣの字の接点部４３Ａ、４３Ｃ側の端部は第２方向２の負の向きに突出した形状を有し、図示しない基板の接点と接触する実装部１４を有している。
【００４６】
なお、レセプタクル側電源コンタクト１２Ｃ、１２Ｄの形状はレセプタクル側電源コンタクト１２Ａ、１２Ｂの形状と同様であるため、説明を省略する。
【００４７】
レセプタクル側信号コンタクト１１Ａ、１１Ｂの断面形状はレセプタクル側電源コンタクト１２Ａ、１２Ｂ、１２Ｃ、１２Ｄの断面形状と同様である。
【００４８】
即ち、レセプタクル側信号コンタクト１１Ａ（１１Ｂ）は断面形状がＣの字状の部分を持つ板状部材であり、Ｃの字の両端は後述するプラグ側信号コンタクト７Ａ（７Ｂ）と接触する接点部２０Ａ、２０Ｂ（２０Ｃ、２０Ｄ）を有している（図５参照）。
【００４９】
図５に示すように、レセプタクル側電源コンタクト１２Ａ〜１２Ｄの第１方向１における幅Ｗ１（最大幅）はレセプタクル側信号コンタクト１１Ａ、１１Ｂの第１方向１における幅Ｗ２（最大幅）よりも広い。
【００５０】
図１３〜図１６に示すようにレセプタクル側補強部１０Ａはレセプタクル側短壁部３１Ｄ（図４参照）に沿い第３方向３に延びる長板形状を有するレセプタクル側補強部本体８１と、レセプタクル側補強部本体８１の第３方向３側の端部から第２方向２の負の向きに突出するように設けられた一対のレセプタクル側補強部脚部８３と、レセプタクル側補強部本体８１の第３方向３における側面から第２方向２の負の向きに突出し、さらに第１方向１の負の向きに突出し、プラグ側補強部とかみ合う板状のレセプタクル側補強部連結部８５Ａ、８５Ｂを有している。
【００５１】
レセプタクル側補強部脚部８３は、第１方向１の負の向きに突出し、レセプタクル側補強部１０Ａをレセプタクル側短壁部３１Ｄに圧入する際に用いる突起８７を有している。
【００５２】
また、レセプタクル側補強部連結部８５Ａ、８５Ｂはそれぞれ第３方向３の負の向きと正の向きに突出し、プラグ側補強部とかみ合う突起８７Ａ、８７Ｂが設けられている。
【００５３】
レセプタクル側補強部１０Ａは、レセプタクル側ハウジングのレセプタクル側長壁部３１Ａ、３１Ｂに設けられた溝部８６Ａ、８６Ｂ（図４、図５参照）にレセプタクル側補強部脚部８３とレセプタクル側補強部連結部８５Ａ、８５Ｂを挿入することにより、レセプタクル側ハウジング９に保持される。
【００５４】
なお、レセプタクル側補強部１０Ｂの構造はレセプタクル側補強部１０Ａと同様であるため、説明を省略する。 
以上がレセプタクルコネクタ１０１を構成する各部材の構造の説明である。
【００５５】
次に、プラグコネクタ１０３を構成する各部材の構造について、図６〜図１２及び図１７〜図２５を参照して説明する。
【００５６】
図６〜９に示すように、プラグ側ハウジング５は、互いに平行になるように設けられ、レセプタクルコネクタ１０１の凹部３３Ａ、３３Ｂ（図５参照）に挿入される凸部としての一対の長板状のプラグ側嵌合部１５Ａ、１５Ｂと、プラグ側嵌合部１５Ａ、１５Ｂの端部間を連結するように設けられたプラグ側連結部１５Ｃ、１５Ｄを有している。プラグ側嵌合部１５Ａ、１５Ｂとプラグ側連結部１５Ｃ、１５Ｄで平面形状が枠形の形状を構成している。なお、図６〜図９では、プラグ側嵌合部１５Ａ、１５Ｂは第１方向１に延びる長方形の長辺に相当し、かつ第２方向（の負の向き）に延びる部分であり、プラグ側連結部１５Ｃ、１５Ｄは第３方向３に延びる長方形の短辺に相当する部分である。
【００５７】
図１０および図１７〜図１９に示すように、プラグ側電源コンタクト５Ａは、第１方向１および第２方向２に平行な板状の第１平面部９１と、第１平面部９１の一部とプラグ側ハウジング５の構成部材（ここでは例えば樹脂）を介して対向する板状の第２平面部９３と、第３方向３および第１方向１に平行に設けられ、第１平面部９１および第２平面部９３の第２方向２の負の向きの端部を接続する電源コンタクト側接続部９５を有する。
【００５８】
また、第１平面部９１の第２方向２の正の向きの端部は第２平面部９３と平行に対向しない上端部９９（図１９）を有し、上端部９９には第３方向３の正の向きに突出し、図示しない基板に実装される板状の実装部１２７が設けられている。
【００５９】
第１平面部９１、または第２平面部９３の少なくとも一方は、互いに平行に対向する面と互いに平行に対向する面以外の面の間に段差部１１５を有し、かつ互いに平行に対向する面を有する第２平面部９３の第３方向３の厚さが、互いに平行に対向する面以外の面を有する上端部９９よりも薄い薄肉部１１３を有する。
【００６０】
具体的には、第１平面部９１のうち、第２平面部９３と平行に対向する薄肉部１１３は段差部１１５を介して上端部９９と連結されている。
【００６１】
さらに、第１平面部９１は上端部９９の第３方向３の厚さＴ１よりも、薄肉部１１３の第３方向３の厚さＴ２の方が薄い。
【００６２】
これにより、プラグ側電源コンタクト５Ａは、上端部９９と第２平面部９３の内側の第３方向３の間隔Ｄ１よりも薄肉部１１３と第２平面部９３の内側の第３方向３の間隔Ｄ２が広くなっている。
【００６３】
このような構造とすることにより、第１平面部９１と第２平面部９３の外側の第３方向３の間隔Ｄ３を広げることなく、内側の間隔Ｄ２を広げることができる。
【００６４】
その結果、プラグ側電源コンタクト５Ａをプラグ側ハウジング５にインサート成形する際に第１平面部９１と第２平面部９３の間にプラグ側ハウジング５を構成するための樹脂が流れやすくできる。
【００６５】
一方で、プラグ側電源コンタクト５Ａは上端部９９の第３方向３の厚さＴ１が、薄肉部１１３の第３方向３の厚さＴ２よりも厚いので、薄肉部１１３を設けたことによる電流容量の低下を抑制できる。 
よって、プラグ側電源コンタクト５Ａは電流容量の確保と成形性の確保を両立できる。
【００６６】
なお、第２平面部９３の外側には、第３方向３の正の向きに突出し、レセプタクル側電源コンタクト１２Ａ、１２Ｂの接点部４３Ａ、４３Ｃ（図３参照）とかみ合う際の抜け止めである帯状の突出部１２０が設けられている。
【００６７】
また、プラグ側電源コンタクト５Ｂ、５Ｃ、５Ｄの構造はプラグ側電源コンタクト５Ａの構造と同様であるため、説明を省略する。
【００６８】
また、プラグ側電源コンタクト５Ａ、５Ｂ、５Ｃ、５Ｄはプラグ側信号コンタクト７Ａ、７Ｂの配列方向（第１方向１）の両端に設けられている。このように、第１方向１の両端にプラグ側電源コンタクト５Ａ、５Ｂ、５Ｃ、５Ｄを設けることにより、プラグ側電源コンタクト５Ａ、５Ｂ、５Ｃ、５Ｄをプラグ側信号コンタクト７Ａ、７Ｂの間に設ける場合と比べてプラグ側電源コンタクト５Ａ、５Ｃ間、またはプラグ側電源コンタクト５Ｂ、５Ｄ間でのプラグ側信号コンタクト７Ａ、７Ｂのピッチの変更が容易となり、プラグ側電源コンタクト５Ａ、５Ｂ、５Ｃ、５Ｄを設けたことによるプラグ側信号コンタクト７Ａ、７Ｂの設計の自由度の低下を防ぐことができる。
【００６９】
また、プラグ側電源コンタクト５Ａ、５Ｂ、５Ｃ、５Ｄはプラグ側ハウジング５の４隅に近い位置に均等に設けられている。同様に、レセプタクル側電源コンタクト１２Ａ、１２Ｂ、１２Ｃ、１２Ｄはレセプタクル側ハウジング９の４隅に近い位置に均等に設けられている。
【００７０】
このような構造とすることにより、プラグ側電源コンタクト５Ａ、５Ｂ、５Ｃ、５Ｄとレセプタクル側電源コンタクト１２Ａ、１２Ｂ、１２Ｃ、１２Ｄとの嵌合を安定させることができる。
【００７１】
図１１および図２０〜図２２に示すように、プラグ側信号コンタクト７Ａは、第１方向１および第２方向２に平行な板状の第３平面部１２１と、第３平面部１２１の一部とプラグ側ハウジング５の構成部材（ここでは例えば樹脂）を介して対向する板状の第４平面部１２３と、第３方向３および第１方向１に平行に設けられ、第３平面部１２１および第４平面部１２３の第２方向２の負の向きの端部を接続する信号コンタクト側接続部１２５を有する。
【００７２】
また、第３平面部１２１の第２方向２の正の向きの端部には第３方向３の正の向きに突出し、図示しない基板に実装される板状の実装部１２７が設けられている。
【００７３】
さらに、第４平面部１２３の外側（第３方向３の正の向き側）の平面には、レセプタクル側信号コンタクト１１Ａ、１１Ｂの接点部２０Ａ、２０Ｂ、２０Ｃ、２０Ｄとかみ合う際の抜け止めである帯状の突出部１２９が設けられている。
【００７４】
プラグ側信号コンタクト７Ａ、７Ｂの断面形状はプラグ側電源コンタクト５Ａ、５Ｂ、５Ｃ、５Ｄと似ているが、第３平面部１２１、第４平面部１２３、信号コンタクト側接続部１２５および実装部１２７の板厚方向の厚さは全て同じであり、プラグ側電源コンタクト５Ａの薄肉部１１３の厚さＴ２に等しい（図２２参照）。
【００７５】
さらに、第３平面部１２１と第４平面部１２３の内側の第３方向３の間隔Ｄ４（図２２）は間隔Ｄ２（図１９）と等しいのが望ましい。この理由は以下の通りである。
【００７６】
プラグコネクタ１０３を製造する際には、例えばプラグ側電源コンタクト５Ａ、５Ｂ、５Ｃ、５Ｄとプラグ側信号コンタクト７Ａ、７Ｂを所定の位置関係になるように、図示しない金型に配置した上で、図示しない金型に樹脂を流し、樹脂を硬化させてプラグ側ハウジング５とする。即ち、インサート成形によりプラグ側電源コンタクト５Ａ、５Ｂ、５Ｃ、５Ｄとプラグ側信号コンタクト７Ａ、７Ｂをプラグ側ハウジング５と一体化する。
【００７７】
この際、樹脂は第１平面部９１と第２平面部９３の間（図１７）、および第３平面部１２１と第４平面部１２３の間（図２０）に流れやすいように、第１方向１に沿って流れるのが望ましい。
【００７８】
しかしながら、間隔Ｄ２と間隔Ｄ４が異なる場合、間隔が狭い方で樹脂が滞留してしまい、樹脂の流れを阻害する恐れがある。 
よって間隔Ｄ４は間隔Ｄ２と等しいのが望ましい。
【００７９】
なお、図１８および図２１に示すように、プラグ側電源コンタクト５Ａ、５Ｂ、５Ｃ、５Ｄの第１方向１（配列方向）の幅Ｗ１（最大幅）はプラグ側信号コンタクト７Ａ、７Ｂの第１方向１の幅Ｗ２（最大幅）よりも広い。理由は、プラグ側電源コンタクト５Ａ、５Ｂ、５Ｃ、５Ｄは電流の伝達を担うため、電流容量をプラグ側信号コンタクト７Ａ、７Ｂよりも大きくする必要があるためである。
【００８０】
図１２および図２３〜図２５に示すように、プラグ側補強部１４１Ａはプラグ側ハウジング５の端部の平面に対応した形状の板状のプラグ側補強部本体１４３と、プラグ側補強部本体１４３の第３方向３の両端から第２方向２の正の向きに直交するように突出したプラグ側補強部脚部１４５Ａ、１４５Ｂ、およびプラグ側補強部脚部１４７Ａ、１４７Ｂを有している。プラグ側補強部１４１Ａの材料は金属等の導電性材料が望ましいが、この限りではない。
【００８１】
さらに、プラグ側補強部１４１Ａはプラグ側補強部本体１４３の第１方向１の正の向き側の端部から第２方向２の正の向きに直交するように突出したプラグ側補強部脚部１４９を有している。
【００８２】
プラグ側補強部脚部１４７Ａ、１４７Ｂにはレセプタクル側補強部１０Ａ、１０Ｂの突起８７Ａ、８７Ｂ（図１４参照）とかみ合う帯状の突出部１５１Ａ、１５１Ｂがそれぞれ第３方向３の正の向きと負の向きに突出するように設けられている。
【００８３】
また、プラグ側補強部脚部１４７Ａ、１４７Ｂは第１方向１の負の向きに突出し、プラグ側補強部脚部１４７Ａ、１４７Ｂをプラグ側ハウジング５に圧入する際に用いられる突起１５３Ａ、１５３Ｂを有している。
【００８４】
さらに、プラグ側補強部脚部１４９は、第３方向３側の両端から突出するように設けられ、プラグ側補強部脚部１４９をプラグ側ハウジング５に圧入する際に用いられる突起１５５Ａ、１５５Ｂを有している。
【００８５】
図６をも参照して、プラグ側補強部１４１Ａは、プラグ側補強部脚部１４７Ａ、１４７Ｂをプラグ側ハウジング５のプラグ側嵌合部１５Ａ、１５Ｂに設けられた溝部１５７Ａ、１５７Ｂに挿入し、プラグ側補強部脚部１４５Ａ、１４５Ｂをプラグ側ハウジング５のプラグ側嵌合部１５Ａ、１５Ｂに設けられた溝部１６１Ａ、１６１Ｂに挿入し、プラグ側補強部脚部１４９をプラグ側連結部１５Ｃ、１５Ｄに設けられた溝部１５９に挿入することにより、プラグ側ハウジング５に固定される。
【００８６】
なお、プラグ側補強部１４１Ｂの構造はプラグ側補強部１４１Ａと同様であるため、説明を省略する。
【００８７】
また、プラグ側補強部１４１Ａ、プラグ側補強部１４１Ｂはプラグ側ハウジングの第１方向１における両端に設けられている（図７参照）。同様に、レセプタクル側補強部１０Ａ、１０Ｂは、レセプタクル側ハウジング９の第１方向１における両端に設けられている（図４参照）。プラグ側補強部１４１Ａ、１４１Ｂ、レセプタクル側補強部１０Ａ、１０Ｂをこのような位置に設けることにより、プラグ側信号コンタクト７Ａ、７Ｂの配列方向（第１方向１）におけるプラグコネクタ１０３の強度を向上できる。 
以上がプラグコネクタ１０３の形状の説明である。
【００８８】
次に、基板対基板コネクタ１００において、プラグコネクタ１０３とレセプタクルコネクタ１０１を組み合わせる際の手順について図３および図２６を参照して簡単に説明する。
【００８９】
まず、図２６に示すように、レセプタクルコネクタ１０１の凹部３３Ａ、３３Ｂとプラグコネクタ１０３のプラグ側嵌合部１５Ａ、１５Ｂの平面上の位置を合わせ、凹部３３Ａ、３３Ｂ内にプラグ側嵌合部１５Ａ、１５Ｂを挿入して行く。
【００９０】
このとき、図３に示すように、プラグ側電源コンタクト５Ａ、５Ｂおよびプラグ側電源コンタクト５Ｃ、５Ｄ（図示せず）は、レセプタクルコネクタ１０１のレセプタクル側電源コンタクト１２Ａ、１２Ｂ、およびレセプタクル側電源コンタクト１２Ｃ、１２Ｄ（図示せず）のＣの字の部分の先端に接触し、レセプタクル側電源コンタクト１２Ａ、１２Ｂおよびレセプタクル側電源コンタクト１２Ｃ、１２Ｄを押圧する。
【００９１】
これにより、レセプタクル側電源コンタクト１２Ａ、１２Ｂおよびレセプタクル側電源コンタクト１２Ｃ、１２ＤはＣの字の部分の両端が開く向きに弾性変形し、プラグ側電源コンタクト５Ａ、５Ｂおよびプラグ側電源コンタクト５Ｃ、５Ｄとレセプタクル側電源コンタクト１２Ａ、１２Ｂおよびレセプタクル側電源コンタクト１２Ｃ、１２Ｄのかみあいが完了する。
【００９２】
この状態では、プラグコネクタ１０３のプラグ側電源コンタクト５Ａ、５Ｂおよびプラグ側電源コンタクト５Ｃ、５Ｄが、レセプタクルコネクタ１０１のレセプタクル側電源コンタクト１２Ａ、１２Ｂおよびレセプタクル側電源コンタクト１２Ｃ、１２Ｄに挟み込まれるようにして両者が電気的に接続される。
【００９３】
なお、レセプタクル側信号コンタクト１１Ａ、１１Ｂとプラグ側信号コンタクト７Ａ、７Ｂの接続はレセプタクル側電源コンタクト１２Ａ、１２Ｂとプラグ側電源コンタクト５Ａ、５Ｂの接続と同様であるため、説明を省略する。
【００９４】
同様に、プラグ側補強部脚部１４７Ａ、１４７Ｂの突出部１５１Ａ、１５１Ｂ（図２３）がレセプタクル側補強部連結部８５Ａ、８５Ｂの突起８７Ａ、８７Ｂ（図１５参照）と接触し、レセプタクル側補強部連結部８５Ａ、８５Ｂを押し広げるようにして突起８７Ａ、８７Ｂとかみ合う。
【００９５】
これにより、レセプタクル側補強部１０Ａ、１０Ｂとプラグ側補強部１４１Ａ、１４１Ｂも電気的に接続される。
【００９６】
この状態では、レセプタクル側信号コンタクト１１Ａ、１１Ｂとプラグ側信号コンタクト７Ａ、７Ｂは信号の伝達を担う。
【００９７】
一方で、レセプタクル側電源コンタクト１２Ａ、１２Ｂ、１２Ｃ、１２Ｄとプラグ側電源コンタクト５Ａ、５Ｂ、５Ｃ、５Ｄは電源電流の伝達を担う。
【００９８】
さらに、レセプタクル側補強部１０Ａ、１０Ｂとプラグ側補強部１４１Ａ、１４１Ｂは互いに接しており、電源電流の伝達を担う。
【００９９】
このように、基板対基板コネクタ１００はレセプタクル側電源コンタクト１２Ａ、１２Ｂ、１２Ｃ、１２Ｄとプラグ側電源コンタクト５Ａ、５Ｂ、５Ｃ、５Ｄだけでなく、レセプタクル側補強部１０Ａ、１０Ｂとプラグ側補強部１４１Ａ、１４１Ｂも電源電流の伝達を担う（電源の導通に用いられる）。
【０１００】
そのため、電源電流を補強部と電源コンタクトで分流でき、レセプタクル側電源コンタクト１２Ａ、１２Ｂ、１２Ｃ、１２Ｄとプラグ側電源コンタクト５Ａ、５Ｂ、５Ｃ、５Ｄに加えられる電流の負荷を低減できる。
【０１０１】
また、レセプタクル側補強部１０Ａ、１０Ｂとプラグ側補強部１４１Ａ、１４１Ｂは補強部を利用した電源コンタクトであるため、電源コンタクトの数や寸法を増やすことなく、電源電流を分流できる。 
以上がプラグコネクタ１０３とレセプタクルコネクタ１０１を組み合わせる際の手順の説明である。
【０１０２】
このように、本実施形態によれば、基板対基板コネクタ１００は、第１方向１に長手を有すると共に第１方向１と直交する第２方向に延びる島状部３７と、第１方向１および第２方向の両方と直交する第３方向３において島状部３７との間に凹部３３Ａ、３３Ｂを有するように設けられたレセプタクル側長壁部３１Ａ、３１Ｂを有するレセプタクル側ハウジング９と、接点部２０Ａ、２０Ｂ、２０Ｃ、２０Ｄを有し、接点部が凹部３３Ａ、３３Ｂ内に露出するようにレセプタクル側ハウジング９に保持されたレセプタクル側信号コンタクト１１Ａ、１１Ｂと、レセプタクル側信号コンタクト１１Ａ、１１Ｂと前記第１方向に並ぶようにレセプタクル側ハウジング９に保持されたレセプタクル側電源コンタクト１２Ａ、１２Ｂ、１２Ｃ、１２Ｄと、を有するレセプタクルコネクタ１０１と、凹部３３Ａ、３３Ｂに挿入されるプラグ側嵌合部１５Ａ、１５Ｂを有するプラグ側ハウジング５と、プラグ側嵌合部１５Ａ、１５Ｂに露出するようプラグ側ハウジング５に保持されたプラグ側信号コンタクト７Ａ、７Ｂと、プラグ側嵌合部１５Ａ、１５Ｂ外に露出するようにプラグ側ハウジング５に保持され、レセプタクル側電源コンタクト１２Ａ、１２Ｂ、１２Ｃ、１２Ｄと接触するプラグ側電源コンタクト５Ａ、５Ｂ、５Ｃ、５Ｄを有するプラグコネクタ１０３を有し、プラグ側電源コンタクト５Ａ、５Ｂ、５Ｃ、５Ｄは第１方向１および第２方向２に平行な板状の第１平面部９１と、第１平面部９１の一部とプラグ側ハウジング５の構成部材（ここでは例えば樹脂）を介して対向する板状の第２平面部９３と、第３方向３および第１方向１に平行に設けられ、第１平面部９１および第２平面部９３を接続する電源コンタクト側接続部９５を有し、第１平面部９１は、互いに平行に対向する面と互いに平行に対向する面以外の面の間に段差部１１５を有し、かつ互いに平行に対向する面を有する第２平面部９３の第３方向３の厚さが、互いに平行に対向する面以外の面を有する上端部９９よりも薄い薄肉部１１３を有する。 
そのため、基板対基板コネクタ１００は、電流容量の確保と成形性の確保を両立できる。
【産業上の利用可能性】
【０１０３】
以上、本発明を実施形態に基づいて説明したが、本発明は当該実施形態に限定されない。
【０１０４】
当業者であれば、本発明の技術的範囲内において各種の変形例および改良例に想到するのは当然のことであり、これらも本発明の範囲に含まれるものと了解される。
【符号の説明】
【０１０５】
１        ：第１方向
２        ：第２方向
３        ：第３方向
５        ：プラグ側ハウジング
５Ａ      ：プラグ側電源コンタクト
５Ｂ      ：プラグ側電源コンタクト
５Ｃ      ：プラグ側電源コンタクト
５Ｄ      ：プラグ側電源コンタクト
７Ａ      ：プラグ側信号コンタクト
７Ｂ      ：プラグ側信号コンタクト
９        ：レセプタクル側ハウジング
１０Ａ    ：レセプタクル側補強部
１０Ｂ    ：レセプタクル側補強部
１１Ａ    ：レセプタクル側信号コンタクト
１１Ｂ    ：レセプタクル側信号コンタクト
１２Ａ    ：レセプタクル側電源コンタクト
１２Ｂ    ：レセプタクル側電源コンタクト
１２Ｃ    ：レセプタクル側電源コンタクト
１２Ｄ    ：レセプタクル側電源コンタクト
１４      ：実装部
１５Ａ    ：プラグ側嵌合部
１５Ｂ    ：プラグ側嵌合部
１５Ｃ    ：プラグ側連結部
１５Ｄ    ：プラグ側連結部
２０Ａ    ：接点部
２０Ｂ    ：接点部
２０Ｃ    ：接点部
２０Ｄ    ：接点部
３１Ａ    ：レセプタクル側長壁部
３１Ｂ    ：レセプタクル側長壁部
３１Ｃ    ：レセプタクル側短壁部
３１Ｄ    ：レセプタクル側短壁部
３３Ａ    ：凹部
３３Ｂ    ：凹部
３５Ａ    ：連結凹部
３５Ｂ    ：連結凹部
３７      ：島状部
４３Ａ    ：接点部
４３Ｂ    ：接点部
４３Ｃ    ：接点部
４３Ｄ    ：接点部
８１      ：レセプタクル側補強部本体
８３      ：レセプタクル側補強部脚部
８５Ａ    ：レセプタクル側補強部連結部
８５Ｂ    ：レセプタクル側補強部連結部
８６Ａ    ：溝部
８６Ｂ    ：溝部
８７      ：突起
８７Ａ    ：突起
８７Ｂ    ：突起
９１      ：第１平面部
９３      ：第２平面部
９５      ：電源コンタクト側接続部
９９      ：上端部
１００    ：基板対基板コネクタ
１０１    ：レセプタクルコネクタ
１０３    ：プラグコネクタ
１１３    ：薄肉部
１１５    ：段差部
１２０    ：突出部
１２１    ：第３平面部
１２３    ：第４平面部
１２５    ：信号コンタクト側接続部
１２７    ：実装部
１４１Ａ  ：プラグ側補強部
１４１Ｂ  ：プラグ側補強部
１４３    ：プラグ側補強部本体
１４５Ａ  ：プラグ側補強部脚部
１４５Ｂ  ：プラグ側補強部脚部
１４７Ａ  ：プラグ側補強部脚部
１４７Ｂ  ：プラグ側補強部脚部
１４９    ：プラグ側補強部脚部
１５１Ａ  ：突出部
１５１Ｂ  ：突出部
１５３Ａ  ：突起
１５３Ｂ  ：突起
１５５Ａ  ：突起
１５５Ｂ  ：突起
１５７Ａ  ：溝部
１５７Ｂ  ：溝部
１５９    ：溝部
１６１Ａ  ：溝部
１６１Ｂ  ：溝部
２０１    ：レセプタクルコネクタ
２１０    ：ハウジング
２３０    ：導電端子
２５０    ：半田ペグ
３００    ：プラグコネクタ
３１０    ：ハウジング
３３０    ：導電端子
Ｄ１      ：間隔
Ｄ２      ：間隔
Ｄ３      ：間隔
Ｄ４      ：間隔
Ｔ１      ：厚さ
Ｔ２      ：厚さ
Ｗ１      ：幅（最大幅）
Ｗ２      ：幅（最大幅）
【図１】
0006513509.tif 000002
【図２】
0006513509.tif 000003
【図３】
0006513509.tif 000004
【図４】
0006513509.tif 000005
【図５】
0006513509.tif 000006
【図６】
0006513509.tif 000007
【図７】
0006513509.tif 000008
【図８】
0006513509.tif 000009
【図９】
0006513509.tif 000010
【図１０】
0006513509.tif 000011
【図１１】
0006513509.tif 000012
【図１２】
0006513509.tif 000013
【図１３】
0006513509.tif 000014
【図１４】
0006513509.tif 000015
【図１５】
0006513509.tif 000016
【図１６】
0006513509.tif 000017
【図１７】
0006513509.tif 000018
【図１８】
0006513509.tif 000019
【図１９】
0006513509.tif 000020
【図２０】
0006513509.tif 000021
【図２１】
0006513509.tif 000022
【図２２】
0006513509.tif 000023
【図２３】
0006513509.tif 000024
【図２４】
0006513509.tif 000025
【図２５】
0006513509.tif 000026
【図２６】
0006513509.tif 000027
【図２７】
0006513509.tif 000028
【図２８】
0006513509.tif 000029